(57)【要約】【課題】大型化することなく、鏡筒部材に設けられた固定部材との固定部の変形を抑制可能なレンズ装置およびこれを備える撮像装置を提供すること。【解決手段】レンズ装置は、固定部材と、固定部材に固定部で固定され、レンズを保持する鏡筒部材と、鏡筒部材に螺合し、レンズを押さえる押え環と、を有し、鏡筒部材は、押え環に螺合する螺合部、および押え環と係合する係合部を備え、固定部は、係合部の位相に配置されている。【選択図】図１
2020126179.tif 000002
【特許請求の範囲】
【請求項１】
固定部材と、
前記固定部材に固定部で固定され、レンズを保持する鏡筒部材と、
前記鏡筒部材に螺合し、前記レンズを押さえる押え環と、を有し、
前記鏡筒部材は、前記押え環に螺合する螺合部、および前記押え環と係合する係合部を備え、
前記固定部は、前記係合部の位相に配置されていることを特徴とするレンズ装置。
【請求項２】
前記鏡筒部材は、前記レンズの外径に嵌合する嵌合部、および前記レンズの光軸方向において前記レンズを受ける受け面を備え、
前記嵌合部および前記受け面は、前記螺合部の位相に配置されていることを特徴とする請求項１に記載のレンズ装置。
【請求項３】
前記螺合部および前記固定部は、前記レンズの光軸方向において重なっていることを特徴とする請求項１または２に記載のレンズ装置。
【請求項４】
前記螺合部は、前記鏡筒部材に３つ以上設けられ、
前記螺合部の位相は、等分となっていることを特徴とする請求項１から３のいずれか１項に記載のレンズ装置。
【請求項５】
前記固定部は、前記鏡筒部材に３つ以上設けられ、
前記固定部の位相は、等分となっていることを特徴とする請求項１から４のいずれか１項に記載のレンズ装置。
【請求項６】
前記螺合部は、前記鏡筒部材の内径側に設けられていることを特徴とする請求項１から５のいずれか１項に記載のレンズ装置。
【請求項７】
前記押え環は、前記鏡筒部材の外径側に設けられていることを特徴とする請求項１から５のいずれか１項に記載のレンズ装置。
【請求項８】
請求項１から７のいずれか１項に記載のレンズ装置と、
前記レンズ装置を介して形成された光学像を光電変換する撮像素子を保持するカメラ本体と、を有することを特徴とする撮像装置。
【発明の詳細な説明】
【技術分野】
【０００１】
本発明は、レンズ装置および撮像装置に関する。
【背景技術】
【０００２】
従来、鏡筒部材にレンズを嵌め、環状の押え環を用いてレンズを押圧することでレンズを固定するレンズ鏡筒が知られている。特許文献１では、鏡筒部材にレンズを嵌め、環状の押え環の外径と鏡筒部材の内径が螺合することでレンズを固定するレンズ保持構造が開示されている。
【先行技術文献】
【特許文献】
【０００３】
【特許文献１】特開２０１２−１７３３６６号公報
【発明の概要】
【発明が解決しようとする課題】
【０００４】
しかしながら、特許文献１のレンズ保持構造では、鏡筒部材の外径に固定部材との固定部が設けられている場合、押え環の締め付け力によって固定部が変形してしまう。固定部が変形しないように鏡筒部材の強度を上げると、鏡筒部材の肉厚が厚くなり、レンズ鏡筒が大型化してしまう。
【０００５】
本発明は、大型化することなく、鏡筒部材に設けられた固定部材との固定部の変形を抑制可能なレンズ装置およびこれを備える撮像装置を提供することを目的とする。
【課題を解決するための手段】
【０００６】
本発明の一側面としてのレンズ装置は、固定部材と、固定部材に固定部で固定され、レンズを保持する鏡筒部材と、鏡筒部材に螺合し、レンズを押さえる押え環と、を有し、鏡筒部材は、押え環に螺合する螺合部、および押え環と係合する係合部を備え、固定部は、係合部の位相に配置されていることを特徴とする。
【発明の効果】
【０００７】
本発明によれば、大型化することなく、鏡筒部材に設けられた固定部材との固定部の変形を抑制可能なレンズ装置およびこれを備える撮像装置を提供することができる。
【図面の簡単な説明】
【０００８】
【図１】実施例１のレンズ鏡筒の背面図である。
【図２】実施例１のレンズ鏡筒の断面図である。
【図３】実施例１のレンズ鏡筒の断面拡大図である。
【図４】実施例１のレンズ鏡筒の断面拡大図である。
【図５】実施例１の鏡筒部材の斜視図である。
【図６】実施例２のレンズ鏡筒の断面図である。
【図７】実施例２のレンズ鏡筒の断面拡大図である。
【図８】実施例２のレンズ鏡筒の断面拡大図である。
【図９】実施例１または実施例２のレンズ鏡筒を有する撮像装置の概略図である。
【発明を実施するための形態】
【０００９】
以下、本発明の実施例について、図面を参照しながら詳細に説明する。各図において、同一の部材については同一の参照番号を付し、重複する説明は省略する。
【実施例１】
【００１０】
図１は、本実施例のレンズ鏡筒（レンズ装置）１００の背面図である。図２は、レンズ鏡筒１００の断面図である。図３および図４は、レンズ鏡筒１００の断面拡大図である。レンズ鏡筒１００は、鏡筒部材２、押え環３、および固定部材５を有する。鏡筒部材２は、樹脂で成形された部品であり、レンズ１を保持する。押え環３は、金属で成形された部品であり、鏡筒部材２に螺合し、レンズ１の光軸方向においてレンズ１と当接することで、レンズ１を押さえる（固定する）。固定部材５は、鏡筒部材２をビス４で固定する。
【００１１】
図５は、鏡筒部材２の斜視図である。鏡筒部材２は、レンズ１の外径に嵌合する嵌合部２Ａ、および光軸方向においてレンズ１を受ける受け面２Ｂを備える。また、鏡筒部材２は、後述するように変形した際にレンズ１の外径に嵌合可能なサブ嵌合部２Ｆを備える。また、鏡筒部材２は、図３に示されるように押え環３の螺合部３Ａに螺合する螺合部２Ｃ、および螺合部２Ｃが間欠となっている領域に設けられ、図４に示されるように螺合部３Ａに螺合せずに係合する係合部２Ｄを備える。本実施例では、螺合部２Ｃおよび係合部２Ｄは、鏡筒部材２の内径側に設けられている。また、鏡筒部材２は、固定部２Ｅで固定部材５に固定される。固定部２Ｅは、係合部２Ｄの位相に配置されている。
【００１２】
ここで、「固定部２Ｅが係合部２Ｄの位相に配置されている」は、「レンズ１の光軸に直交し、かつ、固定部２Ｅと係合部２Ｄの双方を通る直線が存在する」と言い換えることができる。
【００１３】
以下、レンズ１の保持方法についてレンズ鏡筒１００の組み立て順に沿って説明する。まず、レンズ１は、嵌合部２Ａに収納され、受け面２Ｂに突き当てられる。次に、螺合部３Ａを螺合部２Ｃに螺合させ、レンズ１に当接するまで押え環３を締め込む。次に、固定部２Ｅをビス４により固定部材５に固定する。
【００１４】
前述したように、鏡筒部材２は樹脂で成形された部品であるため、金属で成形された部品である押え環３より強度が弱い。そのため、鏡筒部材２を押え環３で締め込んだ場合、押え環３の締め付け力により、螺合部３Ａは変形しないが、螺合部２Ｃは矢印６の方向へ変形する。螺合部２Ｃが矢印６の方向へ変形した場合、鏡筒部材２は図１に示されるように螺合部２Ｃの位相が三角形の頂点となるように外側に変形する。螺合部２Ｃの変形に伴い、係合部２Ｄは矢印７の方向へ変形しようとする。しかしながら、係合部２Ｄは螺合部３Ａと係合しているため、変形量は係合ガタ分で抑えられる。係合部２Ｄの変形を抑えることで、係合部２Ｄの位相に配置されている固定部２Ｅの変形も抑えられる。これにより、固定部２Ｅの変形を抑制しつつ、組み立て不良を起こすことなく、鏡筒部材２を固定部材５に固定することができる。
【００１５】
嵌合部２Ａおよび受け面２Ｂは、螺合部２Ｃの位相に配置されていることが好ましい。これにより、レンズ１をより強固に保持することができる。
【００１６】
また、螺合部２Ｃおよび固定部２Ｅは、光軸方向において重なっていることが好ましい。これにより、レンズ鏡筒１００の大型化を抑えることができる。
【００１７】
また、係合部２Ｄおよび固定部２Ｅは３つ以上設けられ、係合部２Ｄおよび固定部２Ｅの位相はそれぞれ、等分となっていることが好ましい。これにより、固定部２Ｅの変形をより抑えることができる。なお、等分とは厳密に等分である必要はなく、実質的に等分（略等分）である場合も含んでいる。
【００１８】
以上説明したように、本実施例の構成により、レンズ鏡筒１００を大型化することなく、鏡筒部材２に設けられた固定部材５との固定部２Ｅの変形を抑制可能である。
【実施例２】
【００１９】
図６は、本実施例のレンズ鏡筒１００の断面図である。図７および図８は、レンズ鏡筒１００の断面拡大図である。なお、本実施例では、実施例１と異なる部分についてのみ説明を行い、その他の同一部分については同一の符号をつけ、説明を省略する。
【００２０】
本実施例では、螺合部２Ｃおよび係合部２Ｄは、鏡筒部材２の外径側に設けられ、螺合部３Ａは押え環３の内径側に設けられている。螺合部３Ａは、図７に示されるように螺合部２Ｃに螺合し、図８に示されるように係合部２Ｄと係合する。
【００２１】
以下、レンズ１の保持方法についてレンズ鏡筒１００の組み立て順に沿って説明する。まず、レンズ１は、嵌合部２Ａに収納され、受け面２Ｂに突き当てられる。次に、螺合部３Ａを螺合部２Ｃに螺合させ、レンズ１に当接するまで押え環３を締め込む。次に、固定部２Ｅを光軸方向からビス４により固定部材５に固定する。
【００２２】
前述したように、鏡筒部材２は樹脂で成形された部品であるため、金属で成形された部品である押え環３より強度が弱い。そのため、鏡筒部材２を押え環３で締め込んだ場合、押え環３の締め付け力により、螺合部３Ａは変形しないが、螺合部２Ｃは矢印８の方向へ変形する。螺合部２Ｃが矢印８の方向へ変形した場合、鏡筒部材２は螺合部２Ｃの位相が三角形の頂点となるように内側に変形する。螺合部２Ｃの変形に伴い、係合部２Ｄは矢印９の方向へ変形しようとする。しかしながら、係合部２Ｄは螺合部３Ａと係合しているため、変形量は係合ガタ分で抑えられる。係合部２Ｄの変形を抑えることで、係合部２Ｄの位相に配置されている固定部２Ｅの変形も抑えられる。これにより、固定部２Ｅの変形を抑制しつつ、組み立て不良を起こすことなく、鏡筒部材２を固定部材５に固定することができる。
【００２３】
以上説明したように、本実施例の構成により、レンズ鏡筒１００を大型化することなく、鏡筒部材２に設けられた固定部材５との固定部２Ｅの変形を抑制することができる。
【実施例３】
【００２４】
図９は、実施例１または実施例２のレンズ鏡筒１００を備える撮像装置ＩＡの概略図である。レンズ鏡筒１００は、撮像光学系ＩＯＳを保持する。カメラ本体ＣＢは、撮像素子ＩＥを保持する。撮像素子ＩＥは、レンズ鏡筒１００を介して形成された光学像を光電変換する。レンズ鏡筒１００は、カメラ本体ＣＢと一体的に構成されていてもよいし、カメラ本体ＣＢに着脱可能に取り付けられるように構成されていてもよい。また、レンズ鏡筒１００が撮像素子ＩＥを保持していてもよい。
【００２５】
以上、本発明の好ましい実施形態について説明したが、本発明はこれらの実施形態に限定されず、その要旨の範囲内で種々の変形及び変更が可能である。
【符号の説明】
【００２６】
１      レンズ
２      鏡筒部材
３      押え環
２Ｃ    螺合部
２Ｄ    間欠部（係合部）
２Ｅ    固定部
５      固定筒（固定部材）
１００  レンズ鏡筒（レンズ装置）
【図１】
2020126179.tif 000003
【図２】
2020126179.tif 000004
【図３】
2020126179.tif 000005
【図４】
2020126179.tif 000006
【図５】
2020126179.tif 000007
【図６】
2020126179.tif 000008
【図７】
2020126179.tif 000009
【図８】
2020126179.tif 000010
【図９】
2020126179.tif 000011